(57)【特許請求の範囲】
【請求項１】
マンガン酸化物を主成分とする触媒と、酸化剤及びシアン化水素との存在下で、ラクトニトリルと水を反応させることを特徴とする乳酸アミドの製造法。
【請求項２】
マンガン酸化物を主成分とする触媒がアルカリ金属元素を含有する変性二酸化マンガンである請求項１記載の乳酸アミドの製造法。
【請求項３】
酸化剤が酸素類、過酸化物、酸素酸及び酸素酸塩からなる群より選ばれた少なくとも１種である請求項１記載の乳酸アミドの製造法。
【請求項４】
マンガン酸化物を主成分とする触媒と、酸化剤及びシアン化水素と、一般式（Ｉ）で示される化合物との存在下で、ラクトニトリルと水を反応させる請求項１記載の乳酸アミドの製造法。
【化１】
0003962885.tif 000003
（Ｒ１〜Ｒ３はそれぞれ水素又は炭素数１〜８の原子団を示す）
【発明の詳細な説明】
【０００１】
【発明の属する技術分野】
本発明は、乳酸アミドの製造法に関する。更に詳しくは、ラクトニトリルの水和反応により乳酸アミドを製造する方法に関するものである。乳酸アミドは、ギ酸エステルとのアミドエステル交換反応により、または加アルコール分解反応により乳酸エステルを製造する際の原料となるものである。この乳酸エステルをさらに加水分解反応することにより乳酸を製造することも可能である。乳酸エステルや、乳酸は有機合成原料や溶剤として有用であることは言うまでもなく、特に乳酸は防かび剤や生分解性ポリマーの原料として有用である。さらに、乳酸エステルは脱水反応によりアクリル酸エステルを製造する際の原料となり工業的に重要且つ大きな用途がある。
【０００２】
【従来の技術】
米国特許第４０１８８２９号公報には、アセトンシアンヒドリンの水和反応にδ型二酸化マンガンを触媒として使用することを記載している。アセトンシアンヒドリン用二酸化マンガンの調製法として、特開昭６３−５７５３４号公報および特開昭６３−５７５３５号公報には亜鉛を含有させる方法や過マンガン酸カリウムを塩酸で還元する方法が、特開平６−２６９６６６号公報には過マンガン酸塩をヒドラジン類、ヒドロキシカルボン酸あるいはその塩を用いて還元する方法が開示されている。
一方、アセトンシアンヒドリンと同じシアンヒドリン群に含まれるラクトニトリルの水和反応に二酸化マンガンが使用されることを特公昭６１−４７８２２号公報、ＵＳ５１７５３６６号公報は示している。さらに、過マンガン酸塩を多価アルコールにて還元する方法及び多価カルボン酸又はその塩で還元する方法で調製した二酸化マンガンを触媒としたラクトニトリルの水和反応が、特開平９−１９６３７号公報及び特開平９−２４２７５号公報に示されている。
しかしながら、上記の方法で調製した二酸化マンガンをそのままラクトニトリルの水和反応の触媒として使用した場合には、触媒活性が短期間で急激に低下するという問題があり、未だ実用化されていないのが現状である。
【０００３】
【発明が解決しようとする課題】
本発明の課題は、以上のような従来技術の欠点を解決した工業的に有用な乳酸アミドの製造方法を提供することである。
【０００４】
【課題を解決するための手段】
本発明者は、マンガン酸化物を主成分とする触媒の存在下、ラクトニトリルと水より乳酸アミドを製造する場合、酸化剤を共存させる事で触媒活性の急激な低下が抑制されることを見出した。また酸化剤と含窒素化合物との共存下で反応を行うと、酸化剤のみの共存の場合に比べさらに活性低下が抑制されることを見出した。また酸化剤とシアン化水素との共存下で反応を行うと、酸化剤のみの共存の場合に比べさらに活性低下が抑制され乳酸アミドの選択率も向上する事を見いだした。さらに酸化剤と含窒素化合物およびシアン化水素との共存下で反応を行うと、含窒素化合物およびシアン化水素のそれぞれの効果が相加的に得られることを見出し、本発明を完成させるに至った。
即ち本発明は、マンガン酸化物を主成分とする触媒と、酸化剤との存在下で、ラクトニトリルと水より乳酸アミドを製造する方法、ならびにマンガン酸化物を主成分とする触媒と、酸化剤と、一般式（Ｉ）で示される化合物及び／又はシアン化水素との存在下で、ラクトニトリルと水より乳酸アミドを製造する方法である。
【０００５】
【化２】
0003962885.tif 000002
（Ｒ1 〜Ｒ3 はそれぞれ水素または炭素数１〜８の原子団を示す）
【０００６】
【発明の実施の形態】
以下に、本発明の方法を詳しく説明する。本発明に使用するラクトニトリルは、アセトアルデヒドとシアン化水素とから塩基性触媒の存在下で容易に製造される。また、本発明におけるマンガン酸化物を主成分とする触媒としては、主として二酸化マンガンが使用されるが、二酸化マンガンは一般にMnO1.7〜MnO2の間にあるマンガン酸化物であり、結晶構造はα、β、γ、δ、ε等が知られており、又各相間の転移や結晶化度の変化が起こることから、その構造はきわめて複雑で多種多様である。二酸化マンガンは天然にも存在するが、触媒として使用する場合には、二価のマンガンを酸化して調製する方法および七価のマンガンを還元して調製する方法のそれぞれを単独または組み合わせて用いることにより得られる二酸化マンガンが適する。
【０００７】
例えば、中性ないしアルカリ性の領域で過マンガン酸化合物を２０〜１００℃で還元する方法（Zeit. Anorg. Allg. Chem. , 309, p1〜32およびp121〜150. (1961) ）、過マンガン酸カリウム水溶液を硫酸マンガン水溶液に加える方法（J. Chem. Soc., 2189, (1953) ）、過マンガン酸塩をハロゲン化水素酸で還元する方法（特開昭６３−５７５３５号公報）、過マンガン酸塩を多価カルボン酸または多価アルコールで還元する方法（特開平９−２４２７５号公報、特開平９−１９６３７号公報）、過マンガン酸塩をヒドラジン、ヒドロキシカルボン酸あるいはその塩で還元する方法（特開平６−２６９６６６号公報）および硫酸マンガン水溶液を電解酸化する方法が知られている。本発明の方法に用いるマンガン酸化物を主成分とする触媒としては、上記した各種の方法で調製されたものが使用できるが、好ましくはアルカリ金属元素を含有する変性二酸化マンガンが好ましい。同触媒の調製法としては、結晶型や比表面積の大きさ、ならびにアルカリ金属の種類や量をコントロールできる点では、二価のマンガンおよび七価のマンガンを同時に使用する方法が望ましい。
【０００８】
また、上記の二酸化マンガン触媒やアルカリ金属元素を含有する変性二酸化マンガンに他の元素、例えば周期律表２，３，４，５，６，８，９，１０，１１，１２，１３，１４，１５族の元素を添加する事も可能で、特にアルカリ土類金属、Sc、Zr、V 、Nb、Ta、Cr、Mo、W 、Zn、Ga、In、Ge、Sn、Pbの添加は好ましい。これらの金属を二酸化マンガンに添加する方法としては、含浸、吸着、混練、共沈澱等いずれの方法も用いられるが、共沈澱法が特に好ましくその液性は、酸性下でも塩基性下でも調製できるが、酸性下での調製がより好ましく、塩基性下で調製した場合には、反応前に希硫酸等の酸性溶液で二酸化マンガンを洗浄することが望ましい。
【０００９】
以上の触媒調製の為に使用される二価のマンガン源としては水溶性の塩が選ばれ、その中で硫酸塩が特に好ましい。七価のマンガン源としては水溶性の過マンガン酸カリウム又は過マンガン酸ナトリウムが特に好ましく、またこのものはアルカリ金属源としても使用できる。二酸化マンガンに添加するアルカリ土類金属、Sc、Zr、V 、Nb、Ta、Cr、Mo、W 、Zn、Ga、In、Ge、Sn、Pb源としては、水溶性の塩が好ましく、その中でも硫酸塩が特に好ましい。
【００１０】
本発明においては、上記の如く調製した触媒は、アルミナ、シリカ、ジルコニア、チタニア等の金属酸化物担体上に担持して使用することも可能であり、成型体は固定床触媒として、或いは粉体、顆粒体または微小球状体はスラリー触媒として、回分式や流通式反応装置でラクトニトリルの水和反応に使用される。本発明の触媒を用いた水和反応は、通常は水が過剰の系で実施される。即ち、原料液中のラクトニトリルの割合は５〜８０重量％、好ましくは２０〜６０重量％である。反応温度は０〜１２０℃、好ましくは１０〜９０℃の範囲である。これより低い温度では反応速度が小さくなり、またこれより高い温度ではラクトニトリルの分解による副生成物が多くなるので好ましくない。
【００１１】
さらに本発明で用いられる酸化剤としては酸素、オゾン等の酸素類または過酸化水素、過酸化ナトリウム、過酸化マグネシウム、過酸化ベンゾイル、過酸化ジアセチル等の過酸化物または過ギ酸、過酢酸、過硫酸アンモニウム等の過酸及び過酸塩または過沃素酸、過塩素酸、過沃素酸ナトリウム、沃素酸、臭素酸、塩素酸カリウム、次亜塩素酸ナトリウム等の酸素酸及び酸素酸塩であるが、酸素類が好ましく、特に酸素が好ましい。これらの酸化剤は単独でもよいし、２種類以上を混合して用いても良い。またこれらの酸化剤は通常原料液に溶解して供給される。これら酸化剤の添加量は原料ラクトニトリルに対して０．００１〜０．１５モル比、好ましくは０．００５〜０．０５モル比である。酸化剤として酸素を用いる場合は純酸素を用いてもよいが、通常は窒素などの不活性ガスで希釈して用いられる。もちろん空気をそのまま、あるいは空気に酸素または不活性ガスを混合し調整して使用してもよい。酸素含有ガスの酸素濃度は任意でよいが、酸素濃度で２〜５０％が特に好ましい。また酸素ガスを用いる場合は触媒を固定床として充填し、固相とガス相の間を反応液が流れるいわゆるトリクルベット型の反応器を用いるのが特に好ましく、これにより良好なる反応液とガスとの分散及び反応液と触媒との接触が達成される。当該反応器の反応液とガスの流れは向流または並流のいずれでも可能である。
【００１２】
酸化剤に加え上記一般式（Ｉ）に示した含窒素化合物を、通常は０．０００１〜５重量％、好ましくは０．０００５〜３重量％共存させることにより、酸化剤のみを共存させた場合に比べ、触媒の活性向上と経時的な活性低下をさらに抑制することが可能となり、高い触媒活性を維持しながら高収率で目的の乳酸アミドを得ることが出来る。
この一般式（Ｉ）において、Ｒ1 〜Ｒ3 はそれぞれ水素または炭素数１〜８の原子団を示す。この炭素数１〜８の原子団は、好ましくは炭素数１〜８のアルキル基，炭素数３〜８のシクロアルキル基，炭素数１〜８のヒドロキシアルキル基，炭素数１〜８のアミノアルキル基および炭素数１〜８のハロゲノアルキル基などが挙げられる。また、この一般式（Ｉ）で表される含窒素化合物の具体例としては、アンモニア，モノエチルアミン，ジエチルアミン，トリエチルアミン，モノメチルアミン，ジメチルアミン，トリメチルアミン，モノプロピルアミン，ジプロピルアミン，トリプロピルアミン，モノイソプロピルアミン，ジイソプロピルアミン，トリイソプロピルアミン，モノエタノールアミン，ジエタノールアミン，トリエタノールアミン，エチレンジアミンおよびジエチレントリアミンなどを挙げることができ、これらを一種又は二種以上を用いることができる。
【００１３】
また酸化剤に加えシアン化水素を反応原料中に０．００１〜２重量％添加すると、酸化剤のみを共存させた場合に比べ、経時的な活性低下はより一層抑制されると共に乳酸アミドの選択率も向上する。
酸化剤の効果に対し付加的に生ずる含窒素化合物又はシアン化水素の効果は、含窒素化合物とシアン化水素とを共に酸化剤に加えた場合には相加的に効果が発揮される。このことは以下の実施例から明らかである。
次に、本発明の方法を実施例および比較例により更に具体的に説明するが、本発明はこれらの実施例によりその範囲を限定されるものではない。
【００１４】
【実施例】
比較例１
触媒調製：過マンガン酸カリウム０．３９８mol を水２００mlに溶解した液に、硫酸マンガン一水和物０．３１６mol 及び硫酸錫０．０１３７mol を水２００mlに溶かし濃硫酸０．９６８mol と混合した液を７０℃撹拌下に、速やかに注下した。さらに撹拌を継続し９０℃で２時間熟成の後、得られた沈澱を濾過し、水２０００mlで５回洗浄し、得られたケーキを１１０℃で一晩乾燥し、変性二酸化マンガン６４g を得た。このものの金属成分の含有量を測定した結果、錫／カリウム／マンガン＝０．０２／０．０８／１（原子比）であった。
反応：前記で得た二酸化マンガンを破砕して１０〜２０メッシュに揃えたもの４．５ccをジャケットを備えた内径１０mmφのガラス製反応管に充填した。ジャケットには４０℃の温水を流した。ラクトニトリル３５．０００重量部及び水６５．０００重量部の割合で混合した原料液を流速４．３g/hrで反応管に通した。反応器を出た液は循環ポンプにより４３g/hr（循環比１０）の流速で反応器入口へ再フィードした。反応器下部の液溜めより溢流する反応液の組成を高速液体クロマトグラフィーで反応開始後２４時間および１０日後に分析したところ、ラクトニトリルの転化率は、それぞれ８０．２％、６１．０％、また２４時間後および１０日後の乳酸アミドの選択率（ラクトニトリル基準）はそれぞれ９４．６％、9 ５．０％であった。
【００１５】
比較例２
窒素を３５ml/hr の速度で反応管上部より供給した以外は比較例１と同様に反応を行った。反応開始後２４時間および１０日後に分析を行ったところ、ラクトニトリルの転化率は、それぞれ７９．７％、５８．３％、また２４時間後および１０日後の乳酸アミドの選択率（ラクトニトリル基準）はそれぞれ９４．８％、９４．５％であった。
【００１６】
実施例１
空気を３５ml/hr の速度で反応管上部より供給した以外は比較例１と同様に反応を行った。反応開始後２４時間および１０日後に分析を行ったところ、ラクトニトリルの転化率は、それぞれ８０．０％、６７．３％、また２４時間後および１０日後の乳酸アミドの選択率（ラクトニトリル基準）はそれぞれ９５．０％、９５．０％であった。
【００１７】
実施例２
空気を３５ml/hr の速度で反応管上部より供給し、ラクトニトリル３５．０００重量部、水６４．４９０重量部及びトリメチルアミン０．５１０重量部の割合で混合した原料液を用いた以外は比較例１と同様に反応を行い、反応開始後２４時間および１０日後に分析を行ったところ、ラクトニトリルの転化率は、それぞれ８５．１％、８４．３％、また２４時間後および１０日後の乳酸アミドの選択率（ラクトニトリル基準）はそれぞれ９５．２％、９５．１％であった。
【００１８】
実施例３
空気を３５ml/hr の速度で反応管上部より供給し、ラクトニトリル３５．０００重量部、水６４．３３０重量部、トリメチルアミン０．５１０重量部及び青酸０．１６０重量部の割合で混合した原料液を用いた以外は比較例１と同様に反応を行い、反応開始後２４時間および１０日後に分析を行ったところ、ラクトニトリルの転化率は、それぞれ８４．８％、８４．１％、また２４時間後および１０日後の乳酸アミドの選択率（ラクトニトリル基準）はそれぞれ９７．０％、９７．２％であった。
【００１９】
実施例４
過酸化水素０．１００重量部、ラクトニトリル３５．０００重量部及び水６４．９００重量部の割合で混合した原料液を用いた以外は比較例１と同様に反応を行った。反応開始後２４時間および１０日後に分析を行ったところ、ラクトニトリルの転化率は、それぞれ８０．５％、６９．１％、また２４時間後および１０日後の乳酸アミドの選択率（ラクトニトリル基準）はそれぞれ９４．８％、９５．０％であった。
【００２０】
実施例５
シアン化水素０．１７５重量部、ラクトニトリル３５．０００重量部及び水６４．８２５重量部の割合で混合した原料液を用い、空気を３５ml/hr の速度で反応管上部より供給した以外は比較例１と同様に反応を行った。反応開始後２４時間および１０日後に分析を行ったところ、ラクトニトリルの転化率は、それぞれ８０．３％、７３．１％、また２４時間後および１０日後の乳酸アミドの選択率（ラクトニトリル基準）はそれぞれ９７．０％、９７．５％であった。
【００２１】
比較例３
触媒調製：過マンガン酸カリウム０．３９８mol を水２００mlに溶解した液に、硫酸マンガン一水和物０．３１６mol を水２００mlに溶かし濃硫酸０．９６８mol と混合した液を７０℃撹拌下に、速やかに注下した。さらに撹拌を継続し９０℃で２時間熟成の後、得られた沈澱を濾過し、水２０００mlで５回洗浄し、得られたケーキを１１０℃で一晩乾燥し、変性二酸化マンガン６４g を得た。このものの金属成分の含有量を測定した結果、カリウム／マンガン＝０．０９／１（原子比）であった。
反応：前記で得た二酸化マンガンを破砕して１０〜２０メッシュに揃えたもの４．５ccをジャケットを備えた内径１０mmφのガラス製反応管に充填した。ジャケットには４０℃の温水を流した。ラクトニトリル３５．０００重量部及び水６５．０００重量部の割合で混合した原料液を流速４．３g/hrで反応管に通した。反応器を出た液は循環ポンプにより４３g/hr（循環比１０）の流速で反応器入口へ再フィードした。反応器下部の液溜めより溢流する反応液の組成を高速液体クロマトグラフィーで反応開始後２４時間および１０日後に分析したところ、ラクトニトリルの転化率は、それぞれ７８．３％、５６．５％、また２４時間後および１０日後の乳酸アミドの選択率（ラクトニトリル基準）はそれぞれ９５．０％、９５．３％であった。
【００２２】
実施例６
空気を３５ml/hr の速度で反応管上部より供給したほかは比較例３と同様に反応を行った。反応開始後２４時間および１０日後に分析を行ったところ、ラクトニトリルの転化率は、それぞれ７９．２％、６８．６％、また２４時間後および１０日後の乳酸アミドの選択率（ラクトニトリル基準）はそれぞれ９５．０％、９４．９％であった。
【００２３】
実施例７
空気を３５ml/hr の速度で反応管上部より供給し、ラクトニトリル３５．０００重量部、水６４．２６０重量部及びジエチルアミン０．７４重量部の割合で混合した原料液を用いた以外は比較例３と同様に反応を行い、反応開始後２４時間および１０日後に分析を行ったところ、ラクトニトリルの転化率は、それぞれ８２．３％、８１．５％、また２４時間後および１０日後の乳酸アミドの選択率（ラクトニトリル基準）はそれぞれ９５．０％、９５．１％であった。
【００２４】
実施例８
空気を３５ml/hr の速度で反応管上部より供給し、ラクトニトリル３５．０００重量部、水６４．１１０重量部、ジエチルアミン０．７４重量部及び青酸０．１５重量部の割合で混合した原料液を用いた以外は比較例３と同様に反応を行い、反応開始後２４時間および１０日後に分析を行ったところ、ラクトニトリルの転化率は、それぞれ８２．４％、８１．５％、また２４時間後および１０日後の乳酸アミドの選択率（ラクトニトリル基準）はそれぞれ９７．１％、９７．３％であった。
【００２５】
比較例４
触媒調製：（特開平９−２４２７５号公報）を参考にして下記の方法で調製を行った。
過マンガン酸カリウム０．０６２５mol を水１１０mlに溶解した過マンガン酸カリウム水溶液に、濃硫酸０．０６mol を徐々に加えた後、３０℃に加熱した。この溶液に、シュウ酸０．１２５mol を水１３０mlに溶解したシュウ酸水溶液を、撹拌下、反応温度を３０〜３５℃に調整しながら添加した。添加終了後、加熱し、撹拌下、９０℃で３時間熟成した。得られたスラリーを濾過し、沈澱ケーキを純粋で硫酸根が検出されなくなるまで洗浄し、１１０℃で乾燥し、粉砕することにより黒色の二酸化マンガン触媒を得た。
反応：前記で得た二酸化マンガンを破砕して１０〜２０メッシュに揃えたもの１７ccをジャケットを備えた内径１０mmφのガラス製反応管に充填した。ジャケットには４０℃の温水を流した。ラクトニトリル３５．０００重量部及び水６５．０００重量部の割合で混合した原料液を流速４．３g/hrで反応管に通した。反応器を出た液は循環ポンプにより４３g/hr（循環比１０）の流速で反応器入口へ再フィードした。反応器下部の液溜めより溢流する反応液の組成を高速液体クロマトグラフィーで反応開始後２４時間および１０日後に分析したところ、ラクトニトリルの転化率は、それぞれ７９．６％、５７．０％、また２４時間後および１０日後の乳酸アミドの選択率（ラクトニトリル基準）はそれぞれ９５．２％、９５．４％であった。
【００２６】
実施例９
空気を３５ml/hr の速度で反応管上部より供給したほかは比較例４と同様に反応を行った。反応開始後２４時間および１０日後に分析を行ったところ、ラクトニトリルの転化率は、それぞれ８０．２％、６７．５％、また２４時間後および１０日後の乳酸アミドの選択率（ラクトニトリル基準）はそれぞれ９５．０％、９５．４％であった。
【００２７】
【発明の効果】
本発明によれば、高い触媒活性を長期間維持しながらラクトニトリルから乳酸アミドを製造することができ、工業的に極めて大きな意義をもつものである。